(57)【特許請求の範囲】
【請求項１】
飛沫および／またはエアロゾルを遮蔽するための遮蔽部材であって、
前記遮蔽部材は、
相互に接続された第１の面と第２の面と第３の面と、
内視鏡の少なくとも一部を通すための少なくとも１つの開口部を備えるフィルム状部材と
を備え、
前記第１の面、前記第２の面、および前記第３の面は、それぞれ、第１のプレート、第２のプレート、および第３のプレートによって形成され、
前記第１のプレートは、前記フィルム状部材の前記少なくとも１つの開口部に対応する少なくとも１つの開口部を備え、
前記フィルム状部材は、前記第１のプレートの内側表面と前記第２のプレートの内側表面と前記第３のプレートの内側表面とを少なくとも覆うように配置される、遮蔽部材。
【請求項２】
前記遮蔽部材は、前記遮蔽部材の骨組みを形成するフレームをさらに備え、
前記第１のプレートと前記第２のプレートと前記第３のプレートとは、前記フレームを介して相互に接続される、請求項１に記載の遮蔽部材。
【請求項３】
前記フィルム状部材は、前記フレームの内側表面を覆うようにさらに配置される、請求項２に記載の遮蔽部材。
【請求項４】
前記フィルム状部材は、前記フレームの外側表面を覆うようにさらに配置される、請求項３に記載の遮蔽部材。
【請求項５】
前記フレームは、複数の直立した棒状部材と複数の水平な棒状部材とを備える、請求項２に記載の遮蔽部材。
【請求項６】
前記遮蔽部材は、前記フィルム状部材の前記少なくとも１つの開口部の周りを補強するための補強板材をさらに備え、
前記補強板材は、前記フレームに接続されており、前記フィルム状部材の前記少なくとも１つの開口部に対応する１つ以上の開口部を備える、請求項２〜５のいずれかに記載の遮蔽部材。
【請求項７】
前記補強板材の表面は、前記フィルム状部材によって覆われている、請求項６に記載の遮蔽部材。
【請求項８】
前記遮蔽部材は、付属品をさらに備え、
前記付属品は、前記第１のプレートの前記少なくとも１つの開口部を覆うように取り付けられ、前記飛沫および／またはエアロゾルを遮蔽し、かつ、前記内視鏡を通すことが可能であるように構成される、請求項１〜７のいずれかに記載の遮蔽部材。
【請求項９】
前記付属品は、前記内視鏡と干渉性の少ない素材を用いて作製されている、請求項８に記載の遮蔽部材。
【請求項１０】
前記付属品は、ディスポーザブルである、請求項８または請求項９に記載の遮蔽部材。
【請求項１１】
前記遮蔽部材は、第４のプレートをさらに備え、前記第４のプレートは、前記第１のプレートおよび前記第２のプレートに相互に略垂直に接続され、かつ、前記第３のプレートに対して略平行に配置され、
前記第４のプレートは、被験者の首を通すための開口部を備える、請求項１〜１０のいずれかに記載の遮蔽部材。
【請求項１２】
前記少なくとも１つの開口部は、少なくとも１つの孔であり、前記少なくとも１つの孔の直径は、約２ｃｍである、請求項１〜１１のいずれかに記載の遮蔽部材。
【請求項１３】
前記遮蔽部材は、再利用可能である、請求項１〜１２のいずれかに記載の遮蔽部材。
【請求項１４】
前記遮蔽部材は、ディスポーザブルである、請求項１〜１２のいずれかに記載の遮蔽部材。
【請求項１５】
前記内視鏡は、消化管内視鏡である、請求項１〜１４のいずれかに記載の遮蔽部材。
【請求項１６】
飛沫および／またはエアロゾルを遮蔽するための遮蔽部材であって、
前記遮蔽部材は、
相互に接続された第１の面と第２の面と第３の面と、
内視鏡の少なくとも一部を通すための少なくとも１つの開口部を備えるフィルム状部材と、
前記遮蔽部材の骨組みを形成するフレームと
を備え、
前記第１の面と前記第２の面と前記第３の面とは、前記フィルム状部材が前記フレームにわたって配置されることによって形成され、
前記フィルム状部材は、前記フレームの内側表面を覆うように配置される、遮蔽部材。
【請求項１７】
前記フレームは、複数の直立した棒状部材と複数の水平な棒状部材とを備える、請求項１６に記載の遮蔽部材。
【請求項１８】
飛沫および／またはエアロゾルを遮蔽するための遮蔽部材と、付属品とを含むキットであって、
前記遮蔽部材は、
相互に接続された第１の面と第２の面と第３の面と
内視鏡の少なくとも一部を通すための少なくとも１つの開口部を備えるフィルム状部材と
を備え、
前記第１の面、前記第２の面、および前記第３の面は、それぞれ、第１のプレート、第２のプレート、および第３のプレートによって形成され、
前記第１のプレートは、前記フィルム状部材の前記少なくとも１つの開口部に対応する少なくとも１つの開口部を備え、
前記フィルム状部材は、前記第１のプレートの内側表面と前記第２のプレートの内側表面と前記第３のプレートの内側表面とを少なくとも覆うように配置され、
前記付属品は、前記第１のプレートの前記少なくとも１つの開口部を覆うように取り付けられ、前記飛沫および／またはエアロゾルを遮蔽し、かつ、前記内視鏡を通すことが可能であるように構成される、キット。
【請求項１９】
飛沫および／またはエアロゾルを遮蔽するための遮蔽部材と、付属品とを含むキットであって、
前記遮蔽部材は、
相互に接続された第１の面と第２の面と第３の面と、
内視鏡の少なくとも一部を通すための少なくとも１つの開口部を備えるフィルム状部材と、
前記遮蔽部材の骨組みを形成するフレームと
を備え、
前記第１の面と前記第２の面と前記第３の面とは、前記フィルム状部材が前記フレームにわたって配置されることによって形成され、
前記フィルム状部材は、前記フレームの内側表面を覆うように配置され、
前記付属品は、前記フィルム状部材の前記少なくとも１つの開口部を覆うように取り付けられ、前記飛沫および／またはエアロゾルを遮蔽し、かつ、前記内視鏡を通すことが可能であるように構成される、キット。
【請求項２０】
前記フレームは、複数の直立した棒状部材と複数の水平な棒状部材とを備える、請求項１９に記載のキット。
【発明の詳細な説明】
【技術分野】
【０００１】
本開示は、飛沫および／またはエアロゾルを遮蔽するための遮蔽部材およびそれを用いる方法に関する。
【背景技術】
【０００２】
２０２０年にＣＯＶＩＤ−１９（所謂、新型コロナウイルス感染症）による世界的パンデミックが発生した。これ以外にも、２００３年には重症急性呼吸器症候群（ＳＡＲＳ）、２０１２年には中東呼吸器症候群（ＭＥＲＳ）が発生しているが、これらもコロナウイルスが原因とされる。コロナウイルスの感染は、被験者が咳やくしゃみなどをした際に飛び散るしぶき（ウイルスを含んだ飛沫）を吸い込むことによる感染（飛沫感染）、エアロゾル感染または接触感染が中心であると考えられる。
【発明の概要】
【課題を解決するための手段】
【０００３】
本開示は、例えば、以下を提供する。
（項目１）
飛沫および／またはエアロゾルを遮蔽するための遮蔽部材であって、
前記遮蔽部材は、相互に接続された第１の面と第２の面と第３の面とを少なくとも備え、
前記第１の面は、内視鏡の少なくとも一部を通すための少なくとも１つの開口部を備える、遮蔽部材。
（項目２）
前記遮蔽部材は、
前記遮蔽部材の骨組みを形成するフレームであって、前記フレームは、複数の直立した棒状部材と複数の水平な棒状部材とを備える、フレームと、
フィルム状部材と
をさらに備え、
前記第１の面と前記第２の面と前記第３の面とは、前記フィルム状部材が前記フレームにわたって配置されることによって形成され、
前記フィルム状部材は、前記少なくとも１つの開口部を備える、項目１に記載の遮蔽部材。
（項目３）
前記フィルム状部材は、前記フレームの内側表面および／または外側表面を覆うようにさらに配置される、項目２に記載の遮蔽部材。
（項目４）
前記遮蔽部材は、前記フィルム状部材の前記少なくとも１つの開口部の周りを補強するための補強板材をさらに備え、
前記補強板材は、前記フレームに接続されており、前記フィルム状部材の前記少なくとも１つの開口部に対応する１つ以上の開口部を備える、項目２または項目３に記載の遮蔽部材。
（項目５）
前記補強板材の表面は、前記フィルム状部材によって覆われている、項目４に記載の遮蔽部材。
（項目６）
前記遮蔽部材は、付属品をさらに備え、
前記付属品は、前記少なくとも１つの開口部に取り付けられている、項目２〜５のいずれかに記載の遮蔽部材。
（項目７）
前記付属品は、前記少なくとも１つの開口部を覆うように取り付けられ、前記飛沫および／またはエアロゾルを遮蔽し、かつ、前記内視鏡を通すことが可能であるように構成される、項目６に記載の遮蔽部材。
（項目８）
前記付属品は、前記内視鏡と干渉性の少ない素材を用いて作製されている、項目６または項目７に記載の遮蔽部材。
（項目９）
前記付属品は、ディスポーザブルである、項目６〜８のいずれかに記載の遮蔽部材。
（項目１０）
前記フレームは、折り畳み可能なように構成されている、項目２〜９のいずれかに記載の遮蔽部材。
（項目１１）
前記第１の面、前記第２の面、および前記第３の面は、それぞれ、第１の平面プレート、第２の平面プレート、および第３の平面プレートによって形成され、
前記第１の平面プレートは、前記少なくとも１つの開口部を備える、項目１に記載の遮蔽部材。
（項目１２）
前記遮蔽部材は、前記遮蔽部材の骨組みを形成するフレームをさらに備え、
前記フレームは、複数の直立した棒状部材と複数の水平な棒状部材とを備え、
前記第１の平面プレートと前記第２の平面プレートと前記第３の平面プレートとは、前記フレームを介して相互に接続される、項目１１に記載の遮蔽部材。
（項目１３）
前記遮蔽部材は、前記内視鏡の少なくとも一部を通すための少なくとも１つの開口部を備えるフィルム状部材をさらに備え、
前記フィルム状部材は、前記第１の平面プレートと前記第２の平面プレートと前記第３の平面プレートと前記フレームとを覆うように配置される、項目１２に記載の遮蔽部材。
（項目１４）
前記遮蔽部材は、付属品をさらに備え、
前記付属品は、前記少なくとも１つの開口部に取り付けられている、項目１１〜１３のいずれかに記載の遮蔽部材。
（項目１５）
前記付属品は、前記少なくとも１つの開口部を覆うように取り付けられ、前記飛沫および／またはエアロゾルを遮蔽し、かつ、前記内視鏡を通すことが可能であるように構成される、項目１４に記載の遮蔽部材。
（項目１６）
前記付属品は、前記内視鏡と干渉性の少ない素材を用いて作製されている、項目１４または項目１５に記載の遮蔽部材。
（項目１７）
前記付属品は、ディスポーザブルである、項目１４〜１６のいずれかに記載の遮蔽部材。
（項目１８）
前記第１の平面プレートと前記第２の平面プレートとの間の接続部、前記第２の平面プレートと前記第３の平面プレートとの間の接続部、および、前記第３の平面プレートと前記第１の平面プレートとの間の接続部は、丸みを帯びている、項目１１〜１７のいずれかに記載の遮蔽部材。
（項目１９）
前記第１の平面プレートと前記第２の平面プレートと前記第３の平面プレートとは、角部を形成するように相互に略垂直に接続されており、
前記角部は、丸みを帯びている、項目１１〜１８のいずれかに記載の遮蔽部材。
（項目２０）
前記遮蔽部材は、第４の面をさらに備え、前記第４の平面プレートは、前記第１の平面プレートおよび前記第２の平面プレートに相互に略垂直に接続され、かつ、前記第３の平面プレートに対して略平行に配置され、
前記第４の平面プレートは、被験者の首を通すための開口部を備える、項目１９に記載の遮蔽部材。
（項目２１）
前記少なくとも１つの開口部は、少なくとも１つの孔であり、前記少なくとも１つの孔の直径は、約２ｃｍである、項目１１〜２０のいずれかに記載の遮蔽部材。
（項目２２）
前記遮蔽部材は、再利用可能である、項目１１〜２１のいずれかに記載の遮蔽部材。
（項目２３）
前記遮蔽部材は、ディスポーザブルである、項目１１〜２１のいずれかに記載の遮蔽部材。
（項目２４）
前記内視鏡は、消化管内視鏡である、項目１１〜２３のいずれかに記載の遮蔽部材。
（項目２５）
対象に対して内視鏡を用いた処置または検査を行う方法であって、前記方法は、
ａ）前記対象を地面と略平行方向に臥位させるステップと、
ｂ）前記対象に対して遮蔽部材をかぶせるステップであって、前記遮蔽部材は、
相互に接続された第１の面と第２の面と第３の面とを少なくとも備え、
前記第１の面は、内視鏡の少なくとも一部を通すための少なくとも１つの開口部を備え、
前記第１の面が、前記対象の顔面に向けて配置される、ステップと、
ｃ）前記遮蔽部材の前記開口部を通して前記内視鏡を通過させ、前記対象の管腔に対して前記内視鏡を挿入するステップと、
ｄ）前記内視鏡を用いた処置または検査を前記対象に施すステップと
を含む、方法。
（項目２６）
飛沫および／またはエアロゾルを遮蔽するための遮蔽部材と、付属品とを含むキットであって、
前記遮蔽部材は、相互に接続された第１の面と第２の面と第３の面とを少なくとも備え、
前記第１の面は、内視鏡の少なくとも一部を通すための少なくとも１つの開口部を備え、
前記付属品は、前記少なくとも１つの開口部に取り付けられる構造を備える、キット。
【発明の効果】
【０００４】
本開示によれば、飛沫および／またはエアロゾルによる感染を防止するための遮蔽部材およびそれを用いる方法を提供することが可能である。特に、エアロゾルが大量に発生する可能性のある医療行為を伴う内視鏡での施術を行う際の感染を効果的に防止し得る。
【図面の簡単な説明】
【０００５】
【図１】飛沫および／またはエアロゾルを遮蔽するための遮蔽部材の構造の一例を示す図
【図２】飛沫および／またはエアロゾルを遮蔽するための遮蔽部材の構造の他の一例を示す図
【図３】飛沫および／またはエアロゾルを遮蔽するための遮蔽部材の構造の他の一例を示す図
【図４】遮蔽部材を用いた処置のフローの一例を示す図
【図５】実施例１において使用される遮蔽部材を示す図
【図６】実施例１において遮蔽部材を使用した結果を示す図
【図７】開口部が辺に貫通する場合の形状（溝状）を示す図。
【図８】遮蔽部材の骨組みを形成するフレームの形状の一例を示す図
【図９】図８ｃに示されるフレーム８３０を用いた遮蔽部材を示す図
【図１０】フレームにわたって配置されるフィルム状部材の配置の一例を示す図
【発明を実施するための形態】
【０００６】
以下、本開示を最良の形態の一例を示しながら説明する。本明細書の全体にわたり、単数形の表現は、特に言及されない限り、その複数形の概念をも含むことが理解されるべきである。従って、単数形の冠詞（例えば、英語の場合は「ａ」、「ａｎ」、「ｔｈｅ」など）は、特に言及しない限り、その複数形の概念をも含むことが理解されるべきである。また、本明細書において使用される用語は、特に言及されない限り、当該分野で通常用いられる意味で用いられることが理解されるべきである。したがって、他に定義されない限り、本明細書中で使用される全ての専門用語および科学技術用語は、本開示の属する分野の当業者によって一般的に理解される意味と同じ意味を有する。矛盾する場合、（定義を含めて）本明細書の記載が優先される。
【０００７】
以下、本明細書において用いられる用語を定義する。
【０００８】
用語「面」とは、ある面積を有する領域をいう。「面」は、平坦であってもよいし、少なくとも部分的に弯曲していてもよい。
【０００９】
用語「約」とは、他の態様で明示されない限り、示された値の±２５％を指す。
【００１０】
以下に本開示の好ましい実施形態を説明する。以下に提供される実施形態は、本開示のよりよい理解のために提供されるものであり、本開示の範囲は以下の記載に限定されるべきでない。従って、当業者は、本明細書中の記載を参酌して、本開示の範囲内で適宜改変を行うことができることは明らかである。また、本開示の以下の実施形態は単独でも使用されあるいはそれらを組み合わせて使用することができる。なお、本明細書全体を通して、同一の構成要素には同一の参照番号を付している。
【００１１】
１．飛沫および／またはエアロゾルを遮蔽するための遮蔽部材
本開示は、飛沫および／またはエアロゾルを遮蔽するための遮蔽部材に関する。本開示の遮蔽部材は、例えば、内視鏡（特に、上部消化管内視鏡）を用いた手技において使用されるためのものである。飛沫および／またはエアロゾルは、感染症の感染拡大をもたらす媒体となり得る。従って、消化管内視鏡を用いた手技における臨床医を含む医療従事者への感染症の感染拡大を防止するために、対象（例えば、被験者）の嘔吐反射および／または咳嗽による飛沫を医療従事者から遮蔽する必要がある。
【００１２】
本開示の遮蔽部材は、相互に接続された第１の面と第２の面と第３の面とを少なくとも備え、第１の面は、内視鏡の少なくとも一部を通すための少なくとも１つの開口部を備える。対象（例えば、被験者）からの飛沫および／またはエアロゾルは、第１の面と第２の面と第３の面とによって遮蔽され、飛沫および／またはエアロゾルの飛散が抑制される。
【００１３】
一実施形態では、第１の面、第２の面、および第３の面は、それぞれ、平坦であり得る。例えば、第１の面、第２の面、および第３の面は、それぞれ、第１の平面プレート、第２の平面プレート、および第３の平面プレートによって形成され得る。別の実施形態では、第１の面、第２の面、および第３の面は、それぞれ、弯曲し得る、または、波状の形状を有し得る。例えば、第１の面、第２の面、および第３の面は、それぞれ、可撓性部材を遮蔽部材にわたって配置することによって形成され得る。あるいは、第１の面、第２の面、第３の面は、異なる形状を有していてもよく、３つが異なる形状であってもよく、２つが同じ形状でそれ以外の１つがそれとは別の形状であってもよい。例えば、必要に応じて、それらのうち１つまたは２つが、平坦（平面プレートなど）であり、必要に応じて、それ以外の１つまたは２つが弯曲していてもよく、必要に応じてそれ以外の１つまたは２つが波状の形状を有していてもよく、これら以外の形状を有していてもよい。遮蔽部材にわたる可撓性部材の配置は、３つの面のうちの２つだけに配置されてもよく、その場合、その他の１つまたはそれ以上の面には、平面プレートが配置されていてもよい。
【００１４】
一実施形態では、本開示の遮蔽部材は、遮蔽部材の骨組みを形成するフレームをさらに備え、第１の面、第２の面、および第３の面は、フレームを介して相互に接続され得る。フレームを介した相互の接続は、３つのうちの２つの面だけに配置されてもよい。
【００１５】
一実施形態では、本開示の遮蔽部材は、フィルム状部材をさらに備え、第１の面、第２の面、および第３の面は、フィルム状部材を遮蔽部材のフレームにわたって配置することによって形成され得、フレームを介して相互に接続され得る。フィルム状部材は、内視鏡の少なくとも一部を通すための少なくとも１つの開口部を備え得る。フィルム状部材は、３つのうちの少なくとも１つ以上の面に配置されていてもよい（すなわち、３つのうちの２つの面だけに配置されてもよいし、３つのうちの１つの面にのみ配置されていてもよい）。
【００１６】
フィルム状部材は、フレームの内側表面および／または外側表面を覆うようにさらに配置され得る。一実施形態では、フィルム状部材は、略直方体（例えば、略立方体）の箱蓋型の基本形状を有し、フレームの複数の直立した棒状部材を覆うための筒状のフィルム状部材をＬ字角の内側にさらに有し、フレームを完全に覆うように配置され得る。これにより、フレームの直立した棒状部材を飛沫および／またはエアロゾルによる汚染から保護することが可能である。他の実施形態では、フィルム状部材は、略直方体（例えば、略立方体）の箱蓋型の基本形状を有し、フレームの複数の直立した棒状部材を覆うための筒状のフィルム状部材をＬ字角の外側にさらに有し、箱蓋型の基本形状部分がフレームの内側に位置して筒状のフィルム状部材が直立した棒状部材を覆うように配置され得る。フレームの内側に位置する箱蓋型の基本形状部分がフレームの底部まで延在することにより、フレームの底部（すなわち、複数の水平な棒状部材）が飛沫および／またはエアロゾルによって汚染されることを防止することが可能である。
【００１７】
本開示の遮蔽部材と付属品とを含むキットもまた提供され、遮蔽部材は、相互に接続された第１の面と第２の面と第３の面とを少なくとも備え、第１の面は、内視鏡の少なくとも一部を通すための少なくとも１つの開口部を備え、付属品は、少なくとも１つの開口部に取り付けられる構造を備える。
【００１８】
図１は、飛沫および／またはエアロゾルを遮蔽するための遮蔽部材の構造の一例を示す。
【００１９】
図１に示される実施形態では、遮蔽部材１００は、相互に接続された平面プレート１１０と平面プレート１２０と平面プレート１３０とを備え、平面プレート１１０は、消化管内視鏡の少なくとも一部（例えば、消化管内視鏡の挿入部）を通すための２つの開口部１１１を備える。好ましくは、平面プレート１１０、平面プレート１２０および平面プレート１３０は、透明である。これにより、臨床医は、手技の間、被験者の状態を確認することが可能である。本開示では、開口部は、内視鏡を通過させる形状であればどのような騎乗であってもよく、孔（例えば、円状、楕円状等が挙げられるがこれに限定されない）、スリット（例えば、スリットの内部を構成する部分は内視鏡が通過し得るように可とう性であり得る）、あるいは、面の辺にまで貫通する形状（例えば、図７のような溝状）であってもよい。開口部１１１の孔である場合、直径は、約１〜約３ｃｍ、例えば、約２ｃｍであるがこれらに限定されない。開口部１１１がスリットや面の辺にまで貫通する形状である場合、短辺（または最も近接する部分）の長さは、約１〜約３ｃｍ、例えば、約２ｃｍであるがこれらに限定されない。消化管内視鏡は、例示に過ぎず、他の用途の内視鏡（例えば、上下部及び胆膵内視鏡）であっても、本開示の遮蔽部材として提供することができる。なお、「顔のみ」を覆う場合では、平面プレート１１０と平面プレート１２０の二面とかでも良く、患者の顔の向きによっては、平面プレート１３０を利用してもよい。消化管内視鏡は、ここでは、例えば、上下部及び胆膵内視鏡が例示される。むろん形状を変更することで耳鼻科領域などの内視鏡検査に応用することは可能である。
【００２０】
遮蔽部材１００は、その全体または一部が再利用可能なように構成されていてもよいし、その全体または一部がディスポーザブルであるように構成されていてもよい。例えば、開口部を備える平面プレート１１０をディスポーザブルとし、他の部分を再利用可能に構成してもよい。
【００２１】
遮蔽部材１００は、対象（例えば、被験者（または患者））の身体の少なくとも一部（例えば、顔、肩）を覆うように設置されて使用される。遮蔽部材１００が再利用可能である場合には、遮蔽部材１００のサイズは、対象の身体の顔および肩を覆うことが可能なサイズであることが好ましい。例えば、再利用可能なものの隠蔽部材は1辺４５ｃｍ程度が
想定されるが、これに限定されず、例えば、３０ｃｍ〜６０ｃｍ程度であれば、再利用しうることが理解される。対象の身体の顔から肩まで遮蔽部材１００で覆うことにより、臨床医は、対象に遮蔽部材１００による圧迫感および閉塞感を与えることなく、消化管内視鏡または他の内視鏡を用いた処置または検査を被験者（例えば、被験者の身体内の対象組織）に施すことが可能である。消化管、胆膵内視鏡に関してはこのような配置が考えられ、下部内視鏡検査(大腸検査)に応用する場合は１辺の長さが少し長くなると企図される。
遮蔽部材１００は、医療機器として使用可能な限り、どのような部材を用いてもよい。例えば、アクリル樹脂やポリエチレン系の素材を用いて作製されることにより、再利用可能であってもよい。平面プレートは、必ずしも固定されている必要はなく、相互に取り外し、再組み立てが可能な構造であってもよい．遮蔽部材１００がディスポーザブルである場合には、遮蔽部材１００のサイズは、対象の身体の顔のみを覆うことが可能なサイズであることが好ましい。ディスポーザブルな遮蔽部材のサイズの具体的な好ましい数値は、例えば、１辺３０ｃｍ程度であるが、これに限定されず、２０ｃｍ〜４５ｃｍであり得る。なお、顔のみを覆う場合、遮蔽部材の顔側の平面に配置される平面プレート１１０だけであってもよいし、平面プレート１１０と平面プレート１２０との２面であってもよい。平面プレート１１０だけ、または、平面プレート１１０および平面プレート１２０だけでは飛び散るリスクが高いと考えられ得る場合、ディスポーザブルにしても図示される３面及び後頭部側を備えることが好ましい。このように遮蔽部材１００のサイズを比較的縮小することにより、遮蔽部材１００に使用される素材の使用量を低減することが可能であり、より安価な素材を使用することにより、遮蔽部材１００のコスト削減を達成することが可能である。遮蔽部材１００は、例えば、より薄いプラスチック、ポリエステル、および／または、ポリプロピレンを用いて作製されることにより、ディスポーザブルであってもよい。
【００２２】
図１に示される実施形態では、平面プレート１１０と平面プレート１２０との間の接続部１１５は、平面プレート１１０と平面プレート１２０とが相互に略垂直に接続されることにより、角張っている。同様に、平面プレート１２０と平面プレート１３０との間の接続部１２５は、平面プレート１２０と平面プレート１３０とが相互に略垂直に接続されることにより、角張っており、平面プレート１３０と平面プレート１１０との間の接続部１３５は、平面プレート１３０と平面プレート１１０とが相互に略垂直に接続されることにより、角張っている。
【００２３】
図１に示される実施形態では、平面プレート１１０と平面プレート１２０と平面プレート１３０とは、角部１２３を形成するように相互に略垂直に接続されており、角部１２３は、角張っている。
【００２４】
開口部１１１の位置は、例えば、対象の左肩から口までの距離（言い換えると、対象の左肩が寝台と接触するように右半身を起こした状態における寝台から対象の口までの距離）の複数の対象間の平均値に対応して予め設定される。代表的な実施形態では、遮蔽部材平面プレート１１０と平面プレート１２０の下端面は寝台と接触される。
【００２５】
開口部１１１には、付属品（図示せず）が取り付けられていてもよい。付属品は、例えば、開口部１１１を覆うように取り付けられることが可能なように構成されている。付属品は、（例えば、スリットまたはチャネルを有することによって）開口部１１１を通って飛散し得る飛沫および／またはエアロゾルを遮蔽する一方で、消化管内視鏡（特に、上部消化管内視鏡）またはその他の内視鏡を通すことが可能であるように構成されている。付属品は、例えば、スリットを備える（例えば、ゴム製の）逆流防止弁、および／または、内視鏡を挿入することが可能なゴム製の伸縮性部材（例えば、オーバーチューブの内視鏡挿入口の形状を有するゴム製の伸縮性部材）を含む。さらに、内視鏡挿入時、逆流防止弁を備えるガイドチューブ（例えば、被験者の口から食道にわたって留置され、内視鏡挿入口にゴム製の逆流防止弁を備えるオーバーチューブ）が併用されてもよい。
【００２６】
好ましくは、付属品は、消化管内視鏡またはその他の内視鏡の挿入部と干渉性の少ない素材を用いて作製されている。消化管内視鏡またはその他の内視鏡の挿入部と干渉性の少ない素材は、例えば、薄いラテックスゴムおよび／またはシリコンであるが、これらに限定されない。また、付属品を通して消化管内視鏡またはその他の内視鏡を用いた手技を行う場合、例えば、潤滑ゼリーおよび／またはキシロカインスプレーを併用してもよい。潤滑ゼリーおよび／またはキシロカインスプレーを併用することにより、付属品と消化管内視鏡またはその他の内視鏡の挿入部との間の干渉をさらに低減してほぼ無くすことが可能である。
【００２７】
付属品は、再利用可能であるように構成されていてもよいし、ディスポーザブルであるように構成されていてもよい。
【００２８】
付属品は、遮蔽部材と組み合わせて、キットとして提供されてもよい。この場合、キットは、本開示の遮蔽部材と付属品とを備えるほか、これらの説明を含む指示書（添付文書）を含んでいてもよい。
【００２９】
本明細書において「指示書」は、本開示を使用する方法について使用者に対する説明を記載したものである。この指示書は、本開示の遮蔽部材の組み立て方、使用法、付属品の取り付け方、検査または処置後の処理方法等を指示する文言が記載されている。この指示書は、本開示が実施される国の監督官庁（例えば、日本であれば厚生労働省、米国であれば食品医薬品局（ＦＤＡ）など）が規定した様式に従って作成され、その監督官庁により承認を受けた旨が明記されてもよい。指示書は、いわゆる添付文書（ｐａｃｋａｇｅ  ｉｎｓｅｒｔ）であり、通常は紙媒体で提供されるが、それに限定されず、例えば、電子媒体（例えば、インターネットで提供されるホームページ、電子メール、ＳＮＳ）のような形態でも提供され得る。
【００３０】
なお、図１に示される実施形態では、平面プレート１１０が２つの開口部１１１を備える例を説明したが、本開示はこれに限定されない。平面プレート１１０上の開口部１１１の数は、１以上の任意の整数である。
【００３１】
また、図１に示される実施形態では、接続部１１５、接続部１２５、および、接続部１３５が略垂直な相互接続により角張っている例を説明したが、本開示はこれに限定されない。例えば、接続部１１５、接続部１２５、および、接続部１３５は、丸みを帯びていてもよい。これにより、細菌および／またはウイルス（例えば、ＣＯＶＩＤ−１９）が付着し維持されるリスクを低減することができることに加えて、ユーザは、接続部１１５の内面側、接続部１２５の内面側、および、接続部１３５の内面側を容易に掃除することが可能であり、それ故、接続部１１５の内面側、接続部１２５の内面側、および、接続部１３５の内面側のそれぞれにおいて細菌および／またはウイルス（例えば、ＣＯＶＩＤ−１９）の繁殖を低減させることが可能である。
【００３２】
また、図１に示される実施形態では、角部１２３が角張っている例を説明したが、本開示はこれに限定されない。例えば、角部１２３は、丸みを帯びていてもよい。これにより、細菌および／またはウイルス（例えば、ＣＯＶＩＤ−１９）が付着し維持されるリスクを低減することができることに加えて、ユーザは、角部１２３の内面側を容易に掃除することが可能であり、それ故、角部１２３の内面側において細菌および／またはウイルス（例えば、ＣＯＶＩＤ−１９）の繁殖を低減させることが可能である。このように各角部に丸味を帯びさせることにより、遮蔽部材を再利用するときの清潔性や安全性を高めることが可能となる。
【００３３】
また、接続部１１５、接続部１２５、および、接続部１３５を補強するために、遮蔽部材１００は、接続部１１５と接続部１２５と接続部１３５とに少なくとも沿った（すなわち、各平面プレート間の接続部に沿った）フレームをさらに備えていてもよい。この場合、平面プレート１１０と平面プレート１２０と平面プレート１３０とは、フレームを介して相互に接続される。また、上述された各接続部および各角部の丸みは、フレームが丸みを帯びていることによって、達成されていてもよい。加えて、遮蔽部材１００は、内視鏡の少なくとも一部を通すための少なくとも１つの開口部を備えるフィルム状部材をさらに備えていてもよい。このとき、フィルム状部材は、例えば、平面プレート１１０と平面プレート１２０と平面プレート１３０とプレートとを覆うように配置されてもよい。
【００３４】
図２は、飛沫および／またはエアロゾルを遮蔽するための遮蔽部材の構造の他の一例を示す。
【００３５】
図２に示される実施形態では、遮蔽部材１００’は、相互に接続された平面プレート１１０と平面プレート１２０と平面プレート１３０とを備え、平面プレート１２０および平面プレート１３０に相互に接続された平面プレート１４０をさらに備える。図２に示される実施形態では、平面プレート１４０は、平面プレート１２０および平面プレート１３０に相互に略垂直に接続され、かつ、平面プレート１１０に対して略平行に配置されている。図１に示される遮蔽部材１００と比較して、遮蔽部材１００’は、平面プレート１４０を備えることにより、より安定して設置されることが可能である。また、例えば、平面プレート１４０の面にも平面プレート１１０と同様に開口部（図示せず）を設けてもよい。このようにすることによって、対象の顔の向きなどを気にすることなく、施術中の対象の顔の向きや動きを外部から補正し、遮蔽部材を設置することが可能となる。
【００３６】
図３は、飛沫および／またはエアロゾルを遮蔽するための遮蔽部材の構造の他の一例を示す。
【００３７】
図３に示される実施形態では、遮蔽部材１００’’は、相互に接続された平面プレート１１０と平面プレート１２０と平面プレート１３０とを備え、平面プレート１１０および平面プレート１２０に相互に接続された平面プレート１５０をさらに備える。図３に示される実施形態では、平面プレート１５０は、平面プレート１１０および平面プレート１２０に相互に略垂直に接続され、かつ、平面プレート１３０に対して略平行に配置されている。平面プレート１３０は、対象（例えば、被験者）の首を通すことが可能な開口部１５１を備える。このように、被験者の首を開口部１５１に通して被験者の顔周りに遮蔽部材１００’’を設置することによって、遮蔽部材１００’’が、被験者の飛沫および／またはエアロゾルが被験者の身体（特に、首から足までの身体）に向かって飛散することを防止するように、被験者の飛沫および／またはエアロゾルを遮蔽することが可能である。
【００３８】
なお、図１〜図３に示される実施形態では、処置のために内視鏡が平面プレート１１０上の円形の開口部１１１を通過する例を説明したが、本開示はこれに限定されない。内視鏡は、内視鏡を用いた処置を施すことが可能である限りにおいて、平面プレート１１０上の任意の形状の開口部を通過してもよい。内視鏡が通過する開口部の形状は、例えば、真円形を直線状の線分に沿って移動させたときの真円形の面積の軌跡によって表される形状（例えば、図３に示される開口部１５１の形状）、または、楕円形、または、ひょうたん型を有し得る。
【００３９】
また、図１〜図３に示される実施形態では、内視鏡を通すための同一直径の２つの開口部が表されているが、本開示はこれに限定されない。内視鏡を用いた処置を施すことが可能である限りにおいて、２つの開口部の直径の大きさは、相互に異なっていてもよい。
【００４０】
本開示では、飛沫および／またはエアロゾルを遮蔽するための遮蔽部材と、付属品とを含むキットとしても提供される。このキットに含まれる遮蔽部材は、相互に接続された第１の平面プレートと第２の平面プレートと第３の平面プレートとを少なくとも備え、前記第１の平面プレートは、内視鏡の少なくとも一部を通すための少なくとも１つの開口部を備え、前記付属品は、前記少なくとも１つの開口部に取り付けられる構造を備える。
【００４１】
図８ａ〜図８ｄは、遮蔽部材の骨組みを形成するフレームの形状の一例を示す。
【００４２】
図８ａに示されるフレーム８１０は、後述される図５Ｂに示されるような遮蔽部材において使用されるフレームである。図８ａに示される実施形態では、フレーム８１０は、直方体（または立方体）の１１個の辺に沿って１１本の棒状部材を備える。
【００４３】
また、図８ｂに示されるフレーム８２０は、図１を参照して上述されたフレームの形状を有し、図１に示される遮蔽部材において使用されるフレームである。フレーム８２０は、倒れ防止のための直立した補助部材をさらに備えていてもよい。
【００４４】
図８ｃに示されるフレーム８３０は、図８ａに示されるフレーム８１０から上部の４本の水平な棒状部材を取り除いた形状を有する。より具体的には、フレーム８３０は、４本の直立した棒状部材８３１〜８３４と、３本の水平な棒状部材８３５〜８３７とを備える。図８ｃに示される実施形態では、水平な棒状部材８３５は、水平な棒状部材８３７に平行であり、水平な棒状部材８３６は、水平な棒状部材８３５および水平な棒状部材８３７と同一平面内に延在し、水平な棒状部材８３５および水平な棒状部材８３７と略直交する。直立した棒状部材８３１、直立した棒状部材８３２、直立した棒状部材８３３、および直立した棒状部材８３４は、水平な棒状部材８３５〜８３７によって形成される平面に略垂直に延在する。
【００４５】
図８ｄに示されるフレーム８４０は、図８ｃに示されるフレーム８３０から２本の直立した棒状部材を取り除いた形状を有する。より具体的には、フレーム８４０は、２本の直立した棒状部材８４１〜８４２と、３本の水平な棒状部材８４３〜８４５とを備える。図８ｄに示される実施形態では、水平な棒状部材８４３は、水平な棒状部材８４５に略平行であり、水平な棒状部材８４４は、水平な棒状部材８４３および水平な棒状部材８４５と同一平面内に延在し、水平な棒状部材８４３および水平な棒状部材８４５と略直交する。直立した棒状部材８４１および直立した棒状部材８４２は、水平な棒状部材８４３〜８４５によって形成される平面に略垂直に延在する。
【００４６】
フレーム８１０〜８４０は、再利用可能であるように構成されていてもよいし、ディスポーザブルであるように構成されていてもよい。
【００４７】
フレーム８１０〜８４０は、折り畳み可能なように構成されていてもよい。例えば、フレーム８１０〜８４０は、複数の棒状部材の少なくとも一部が回動可能なように構成され、棒状部材が回動することより、折り畳み可能なように構成されていてもよい。一実施形態では、棒状部材がヒンジを有し、その棒状部材に接続される他の棒状部材がヒンジを中心に回動可能な状態であり得る。なお、回動手段は、ヒンジ以外の任意の手段であってもよい。あるいは、フレーム８１０〜８４０は、分解可能なように構成されていてもよい。例えば、フレーム８１０〜８４０は、（例えば、棒状部材間でおよび／または各棒状部材において）少なくとも部分的に分離可能なように構成されている各棒状部材を分離することにより、分解可能なように構成されていてもよい。
【００４８】
なお、図８ａ〜図８ｄに示される実施形態では、各棒状部材の長さが略同一であるように示されているが、本開示は、これに限定されない。患者の頭部が収まる空間がフレームの内側に存在する限り、フレームの各棒状部材は、ゼロより大きい任意の長さを有する。
【００４９】
また、図８ａ〜図８ｄに示される実施形態では、フレームの各棒状部材は、角部が角張っている形状を有するが、本開示は、これに限定されない。例えば、フレームの各棒状部材は、角部が丸みを帯びた形状を有していてもよい。
【００５０】
また、図８ａに示される実施形態では、フレームの全体形状が略直方体である例を説明したが、本開示は、これに限定されない。フレームの全体形状は、例えば、四角錐台形であってもよいし、四角錐であってもよいし、三角錐であってもよい。またはフレーム自体が弯曲した形状を有していてもよい．
【００５１】
図９は、図８ｃに示されるフレーム８３０を用いた遮蔽部材を示す。
【００５２】
図９に示される実施形態では、遮蔽部材９００は、遮蔽部材９００の骨組みを形成するフレーム８３０と、フィルム状部材（図示せず）とを備える。
【００５３】
フィルム状部材は、第１の面９１０と第２の面９２０と第３の面９３０とを少なくとも形成するように、第１の面９１０と第２の面９２０と第３の面９３０とを少なくとも覆ってフレーム８３０にわたって配置される。第１の面９１０と第２の面９２０と第３の面９３０とは、フレーム８３０を介して相互に接続されている。図９に示される実施形態では、フィルム状部材は、第１の面９１０と第２の面９２０と第３の面９３０と第４の面９４０とを形成するようにフレーム８３０にわたって配置される。これにより、フィルム状部材は、飛沫および／またはエアロゾルを遮蔽することが可能である。好ましくは、フィルム状部材は、フレーム８３０の表面（すなわち、フレーム８３０の４本の直立した棒状部材８３１〜８３４のそれぞれの表面、および、３本の水平な棒状部材８３５〜８３７のそれぞれの表面）を覆うようにさらに配置され得る。これにより、飛沫および／またはエアロゾルによる汚染からフレーム８３０の各棒状部材を保護することが可能であり、使用後にそのまま捨てることが可能である。フィルム状部材を用いてフレーム８３０の表面全体を被覆することによって、フレーム８３０の各棒状部材を滅菌する作業を省略することも可能である。
【００５４】
フィルム状部材は、内視鏡の少なくとも一部を通すための少なくとも１つの開口部を備える。フィルム状部材の開口部の構成は、図１〜図３を参照して説明された開口部１１１、１５１の構成と同様の構成であるため、ここではこの詳しい説明を省略する。なお、フィルム状部材は、横臥している対象（例えば、被験者）を少なくとも部分的に覆うように（例えば、第３の面９３０から）さらに延在していてもよい。
【００５５】
図９に示されるように、遮蔽部材９００は、フィルム状部材の少なくとも１つの開口部を補強するための補強板材９５０をさらに備えていてもよい。図９に示される実施形態では、補強板材９５０は、フレーム８３０の水平な棒状部材８３５に接続されており、フレーム８３０の水平な棒状部材８３５から離れる方向に延在する。好ましくは、補強板材９５０の表面もまた、フィルム状部材によって覆われている。補強板材９５０は、フィルム状部材の少なくとも１つの開口部に対応する１つ以上の開口部を備える。補強板材９５０の１つ以上の開口部の構成は、図１〜図３を参照して説明された開口部１１１、１５１の構成と同様の構成であるため、ここではこの詳しい説明を省略する。なお、補強板材９５０は、例えば、金属製または樹脂製であり得るが、これらに限定されない。
【００５６】
フィルム状部材の少なくとも１つの開口部および／または補強板材９５０の１つ以上の開口部には、図１を参照して説明された付属品が取り付けられていてもよい。これにより、フィルム状部材の少なくとも１つの開口部および補強板材９５０の１つ以上の開口部を通した飛沫および／またはエアロゾルの飛散を防止することが可能である。
【００５７】
なお、フィルム状部材によって形成される第１の面９１０、第２の面９２０、第３の面９３０、および第４の面９４０は、フィルム状部材の可撓性によって、例えば、弯曲していてもよいし、波状の形状を有していてもよい。また、フィルム状部材は、可撓性を有するものであれば任意の厚み、形状および材質であり得る。フィルム状部材は、例えば、ポリエチレンフィルム、ポリプロピレンフィルム、塩化ビニール製フィルムなどであり得るが、これらに限定されない。
【００５８】
本開示では、飛沫および／またはエアロゾルを遮蔽するための遮蔽部材と、付属品とを含む第２のキットとしても提供される。この第２のキットに含まれる遮蔽部材は、遮蔽部材の骨組みを形成するフレームであって、フレームは、複数の直立した棒状部材と複数の水平な棒状部材とを備える、フレームと、内視鏡の少なくとも一部を通すための少なくとも１つの開口部を備えるフィルム状部材とを備え、フィルム状部材は、第１の面と第２の面と第３の面とを少なくとも形成するようにフレームにわたって配置され、付属品は、少なくとも１つの開口部に取り付けられる構造を備える。
【００５９】
また、フレームにわたって配置されるフィルム状部材は、フレームに向かって飛散する飛沫および／またはエアロゾルを遮蔽するように配置され得る。
【００６０】
図１０は、フレームにわたって配置されるフィルム状部材の配置の一例を示す。
【００６１】
図１０ａに示される実施形態では、フィルム状部材９６０は、フレーム８３０の直立した棒状部材の外側面に沿って、フレーム８３０を覆うように、配置されている。この場合、図１０ａに示されるように、フィルム状部材９６０は、フレーム８３０の直立した棒状部材の内側面を覆うための筒型フィルム状部材９７０をさらに備えていてもよい。これにより、フレーム８３０の直立した棒状部材の内側面が飛沫および／またはエアロゾルに暴露されることを防止することが可能である。
【００６２】
図１０ｂに示される実施形態では、フィルム状部材９６０は、フレーム８３０の直立した棒状部材の内側面に沿って配置されている。この場合、図１０ｂに示されるように、フィルム状部材９６０は、フレーム８３０の直立した棒状部材の外側面を覆うための筒型フィルム状部材９８０をさらに備えていてもよい。図１０ｂに示されるフィルム状部材９６０は、上面からフレーム８３０の水平な棒状部材まで延在し得る。これにより、フレーム８３０の水平な棒状部材の内側面が飛沫および／またはエアロゾルに暴露されることを防止することが可能である。
【００６３】
遮蔽部材は、フレームおよびフィルム状部材の両方がディスポーザブルであるように構成されていてもよい。これにより、施術時、毎回、清潔な遮蔽部材を利用することが可能であり、滅菌作業の手間を省くことが可能である。
【００６４】
あるいは、遮蔽部材は、フレームおよびフィルム状部材の両方が再利用可能であるように構成されていてもよい。これにより、遮蔽部材を数多く備蓄する必要性が低減する。
【００６５】
あるいは、遮蔽部材は、フレームが再利用可能である一方でフィルム状部材がディスポーザブルであるように構成されていてもよい。これにより、フィルム状部材を新しいフィルム状部材に取り換えるだけで再び遮蔽部材を利用することが可能である。
【００６６】
上記では、主に、（上部）消化管内視鏡で説明してきたが、下部消化管内視鏡や胆膵内視鏡などでも同様に適用可能である。すなわち、内視鏡としては、硬性鏡、軟性鏡（ファイバースコープ、電子内視鏡）等があるが、本開示の遮蔽部材はいずれのものでも適用することができる。
【００６７】
本開示の遮蔽部材が適用される内視鏡の種類としては、消化管内視鏡に限られるものではなく、例えば、以下を挙げることができるがこれらに限定されない：喉頭内視鏡、気管支鏡、上部消化管内視鏡、十二指腸内視鏡、超音波内視鏡、側視鏡・斜視鏡、小腸内視鏡、大腸内視鏡、膀胱鏡など。多くの内視鏡は光学系とは別の経路（チャネル）を持っており、局所の洗浄・気体や液体の注入・薬剤散布・吸引・専用デバイスによる処置などが可能であり、このような形式のものでも、本開示の遮蔽部材は使用することができる。例えば、喉頭内視鏡、気管支鏡、膀胱鏡などは、形状を変えれば使用可能である。十二指腸内視鏡（側視鏡）、超音波内視鏡は、主に胆膵内視鏡を指すものであり、形状、用途は上部消化管内視鏡に近く、本開示を適用可能である。なお、拡大内視鏡は、通常の上部スコープについていることから、応用可能であり、上部消化管内視鏡(拡大内視鏡)とも表現可能である。
【００６８】
この場合、以下のようなサイズ、構造（その他の特徴）が好ましい。例えば、一般的に流通している消化管関連の内視鏡であればすべて適応され得る。このようなものとしては、オリンパス、フジフイルムなどから市販されるものが利用され得るがこれに限定されない。
【００６９】
２．遮蔽部材を用いた方法
図４は、遮蔽部材Ｘを用いた処置のフローの一例を示す。ここで使用される遮蔽部材Ｘは、相互に接続された第１の面と第２の面と第３の面とを少なくとも備え、第１の面は、内視鏡の少なくとも一部を通すための少なくとも１つの開口部を備える。遮蔽部材Ｘの一例は、図１に示される遮蔽部材１００、図２に示される遮蔽部材１００’、図３に示される遮蔽部材１００’’、図８ａ〜図８ｄに示されるフレームを備える遮蔽部材、または、図９に示される遮蔽部材９００であり得る。以下、図４に示される各ステップを説明する。
【００７０】
ステップＳ４０１：対象（例えば、被験者）を地面と略平行方向に（例えば、寝台の上に（すなわち、対象の左肩が寝台と接触するように右半身を起こした状態で））臥位（例えば、側臥位、仰臥位、腹臥位）させる。
【００７１】
ステップＳ４０２：対象に対して遮蔽部材Ｘをかぶせる。遮蔽部材Ｘは、例えば、対象からの飛沫および／またはエアロゾルの少なくとも一部を遮蔽することができるように、対象の顔面を少なくとも覆うように配置される。このとき、開口部を備える第１の面は、対象の顔面に向けて配置される。
【００７２】
ステップＳ４０３：遮蔽部材Ｘの開口部を通して消化管内視鏡を通過させ、対象の管腔に対して消化管内視鏡を挿入する。遮蔽部材Ｘが、図１を参照して説明された付属品を備える場合には、消化管内視鏡は、遮蔽部材Ｘの付属品を通して通過させられ得る。
【００７３】
ステップＳ４０４：消化管内視鏡または他の内視鏡を用いた処置（治療、手術など）または検査を対象に施す。
【００７４】
内視鏡を用いた施術については、検査の他、内視鏡手術、内視鏡治療等を行うことができる。内視鏡治療としては、例えば、内視鏡的逆行性胆管膵管造影（ＥＲＣＰ）、内視鏡的粘膜切除術（ＥＭＲ）、内視鏡的粘膜下層剥離術（ＥＳＤ）、内視鏡的止血術、超音波内視鏡下瘻孔形成術などが挙げられる。
【００７５】
消化管内視鏡（例えば、上下部及び胆膵内視鏡）を用いた手順は、通常の検査または手術で利用される手順がそのまま利用され得る。
【００７６】
（他の実施の形態）
本開示の１つまたは複数の態様に係る遮蔽部材やそれを用いる方法について、実施の形態に基づいて説明したが、本開示は、この実施の形態に限定されるものではない。本開示の趣旨を逸脱しない限り、当業者が思いつく各種変形を本実施の形態に施したものや、異なる実施の形態における構成要素を組み合わせて構築される形態も、本開示の１つまたは複数の態様の範囲内に含まれてもよい。
【００７７】
本明細書において「または」は、文章中に列挙されている事項の「少なくとも１つ以上」を採用できるときに使用される。「もしくは」も同様である。本明細書において「２つの値の範囲内」と明記した場合、その範囲には２つの値自体も含む。
【００７８】
（注記）
以上、本開示を、理解の容易のために好ましい実施形態を示して説明してきた。以下に、実施例に基づいて本開示を説明するが、上述の説明および以下の実施例は、例示の目的のみに提供され、本開示を限定する目的で提供したのではない。従って、本開示の範囲は、本明細書に具体的に記載された実施形態にも実施例にも限定されず、特許請求の範囲によってのみ限定される。
【実施例】
【００７９】
以下の実施例では、ヘルシンキ宣言などの医療的な倫理規定、ＧＣＰなどの規則、ならびに、大分三愛メディカルセンターその他で規定される規定を遵守し、発明者が所属する組織に関係する倫理委員会の承認を得た上で、必要なインフォームド・コンセントを取得し、以下の実験を行った。
【００８０】
ＣＯＶＩＤ−１９は、２０１９年末より流行し、２０２０．３．１１にはＷＨＯがパンデミックを宣言したＣＯＶＩＤ−１９は２０２０．４．２１の段階で全世界の感染者数２，３９７，０００人、致死率６．８％と猛威を振るっている（World Health Organization. Situation report -92, 2020.Available:https://www.who.int/docs/default-source/coronaviruse/situation-reports/20200421-sitrep-92-covid-19.pdf?sfvrsn=38e6b06d_4；ChiuPWY, et al. Gut 2020; pii: gutjnl-2020 -321185.；van Doremalen N, et al. N Engl J Med2020; 382: 1564 -156The Lancet. Lancet 2020; 395: 922.；RepiciA,et al. Gastroenterology.2020 Apr 10. pii: S0016 -5085(20) 30466 -2.；Canelli R,   et al. N Engl J Med 2020 Apr 3））
【００８１】
ＣＯＶＩＤ−１９は接触及び、エアロゾルが主たる感染経路と言われているため、嘔吐反射や咳嗽などによりエアロゾルを発生させる可能性のある内視鏡検査はその安全性が担保されていない。医療従事者感染による院内感染を考慮し、全世界的に内視鏡検査の規模を縮小する提言が出されており、主要感染地域では一般内視鏡検査は施行されず、吐血や胆管炎といった致死率の高い疾患に対する緊急内視鏡のみが検査の適応となっている。しかしながら中長期的な流行継続が予想されるCOVID-19感染下において、どの時期まで内視鏡検査を制限するべきなのかは予想が立たず、その間に本来行われるはずであった検査が施行できず、癌を中心とした致死的疾患の進行を許容してしまう可能性は高い。
【００８２】
（実施例１）
以上に鑑み、実施例１では、本開示の遮蔽部材が、飛沫、エアロゾルを防止し得るかの実験を行った。
【００８３】
（方法及び材料）
（遮蔽部材）
図５は、実施例１において使用される遮蔽部材を示す。より具体的には、図５Ａは、使用される遮蔽部材の寸法を示し、図５Ｂは、使用される遮蔽部材が使用のために寝台の上に設置される状況を示す。図５Ｃは、遮蔽部材を用いて内視鏡による処置を施している状況を示す。
【００８４】
使用される遮蔽部材は、４５ｃｍ四方のプラスチック製の立方体形状を有する。この遮蔽部材は、１．５ｍｍ厚の４枚の正方形プラスチックプレートを相互に接着することによって形成されている。患者の左側を下にしたときに、遮蔽部材の足側および左側は空いている（すなわち、プレートが存在しない）。患者の顔面側のプレートには２つの孔が存在し、各孔の直径は、２ｃｍである。
【００８５】
（手順）
この実施例では、個人用防護服を着用している身長１７０ｃｍの臨床医が、マウスピースを付けたマネキンに対して上部消化管内視鏡検査を実施した。臨床医は、患者の顔（特に、顔面）が覆われるように遮蔽部材を配置する。次に、臨床医は、患者の顔のサイズおよび口の高さに応じて、内視鏡を通すべき孔を２つの孔から選択し、選択された孔を通して内視鏡をマネキンの口の中に挿入した。選択されなかった孔は、医療用テープを用いて閉鎖された。孔のサイズは、Ｏｌｙｍｐｕｓ  Ｍｅｄｉｃａｌ  Ｓｙｓｔｅｍｓ社製のＴＪＦ−２６０Ｖ側視内視鏡の直径１３．５ｍｍと作業スペースとに基づいて、決定された。ＴＪＦ−２６０Ｖ側視内視鏡は、日本における内視鏡の中で最も大きい直径を有する内視鏡であり、緊急内視鏡的逆行性胆道膵管造影のために使用される。１０ｍＬの蛍光染料を含む小さいニトリルゴムバルーンを破裂させることによって単発の嘔吐反射または咳嗽を再現してシミュレーションした。バルーンは、チューブに取り付けられ、マネキンの下咽頭に設置された。ついで、酸素が、バルーンが破裂するまで、マネキンの内側のチューブを通して供給された。次いで、模擬内視鏡検査が、遮蔽部材有りの場合と遮蔽部材無しの場合との両方において、実施された。紫外線を蛍光染料に照射し、散らばった染料の領域を可視化することによって、各シミュレーションの結果を確認することが可能である。
【００８６】
（結果）
結果を図６に示す。より具体的には、図６Ａは、実施例１において本開示の遮蔽部材を使用しなかった場合における臨床医への蛍光染料の飛散分布を示し、図６Ｂは、実施例１において本開示の遮蔽部材を使用しなかった場合における床上への蛍光染料の飛散分布を示し、図６Ｃは、実施例１において本開示の遮蔽部材を使用した場合における臨床医への蛍光染料の飛散分布を示し、図６Ｄは、実施例１において本開示の遮蔽部材を使用した場合における床上への蛍光染料の飛散分布を示す。
【００８７】
遮蔽部材無しの場合、蛍光染料は、臨床医の右手袋、腕、胸郭上部、腹部、および足元にまで飛散していることが明らかに確認された。臨床医が着用しているフェイスマスクまたは保護眼鏡には、蛍光染料の飛散はほとんど確認されなかった。また、寝台の縁から約１．５ｍ離れた床の上にも蛍光染料が確認された。
【００８８】
対照的に、遮蔽部材有りの場合、ほとんどの蛍光染料が、遮蔽部材の内表面上において確認された。臨床医の右手袋、腕および胸において極少量の蛍光染料が発見されたが、臨床医の腹部および足元、フェイスマスク、保護眼鏡においては蛍光染料が全く確認されなかった。床の上にも飛散した蛍光染料はほぼ見られなかった。従って、遮蔽部材は、患者からのエアロゾルの大部分が広く拡散することを妨げることができ、内視鏡専門医を含む医療従事者と周囲環境（例えば、床）とが患者からのエアロゾルに暴露されることを著しく低減することができる。
【００８９】
この後実際の患者を用いてこの遮蔽部材の実用性を検討している。患者は当論文の著者の１人であり、インフォームド・コンセントを行った後に同意のもと検査を実施した。患者は、左側臥位で横臥させた。遮蔽部材を被せた段階で、患者に不快感は無く、バイタルサインの変化も無い。鎮静剤を使用せず、意識清明の状態で検査を行った。患者の頭部を覆うように遮蔽部材を設置する場合、遮蔽部材は、鎮静の開始後に設置することも許容される。遮蔽部材の４つのプレートのうちの患者の顔面側のプレート上の２つの孔のうちの一方に内視鏡を挿入した。内視鏡の接触感染を抑制するために、ディスポーザブルゴム逆止弁が孔に取り付けられており、もう一方の孔は医療用テープで閉鎖されている。遮蔽部材内の十分な作業スペースのおかげで、手技中に体動の抑制や頭部の位置修正は容易に実施され、酸素需要がある際の鼻カニューレ装着に関しても、遮蔽部材の足側を通して滑らかに施行可能であった。標準的な胃腸スクリーニングは、問題なく約１０分で完了し、内視鏡と遮蔽部材との間の干渉は無かった。手技の後、嘔吐反射および咳嗽による多くの液滴が、遮蔽部材の内側正面表面上に確認された。取り付けられた逆止弁は、破棄され、遮蔽部材は、入念に洗浄され、次亜塩素酸ナトリウムを用いて拭かれ再利用することができる。このように遮蔽部材は、外部デバイスであるので、消毒して再利用することが可能である。この遮蔽部材は、緊急内視鏡手技を含む上部消化管内視鏡手技を受ける全ての患者のために有用であり得る。加えてこの遮蔽部材を使用するために特別な訓練は不要である。この遮蔽部材は、必要な内視鏡手技中に拡散するＣＯＶＩＤ−１９感染防御に関して有用である可能性が示された。
【００９０】
（実施例２）
本実施例では、ＣＯＶＩＤ−１９の感染状況を考慮し、本発明者は内視鏡手技におけるエアロゾル発生の可能性を検討し、内視鏡時におけるＣＯＶＩＤ−１９の患者側因子（嘔吐反射、咳嗽による飛沫）を最小限に抑えるための遮蔽物の効能に関しても同時に検討する。
【００９１】
(対象）
１８歳以上（ＰＳ４を除く）。大分三愛メディカルセンター消化器病内視鏡センターにおいて上部消化管関連の内視鏡検査、緊急内視鏡検査を受ける被験者。
【００９２】
(方法および材料）
実施例１と同様の遮蔽部材を利用する。
【００９３】
（手順）
以下の２群を後方視的に検討する。
（１）内視鏡前後にハンドヘルドパーティクルカウンターＭＯＤＥＬ３８８８／３８８９を用いて内視鏡術者の胸頭部周辺を規定時間測定し、エアロゾルの増加の有無を検討する群。この場合環境測定のみとなり、患者への侵襲は発生しないため同意書の取得は必要ない。
（２）遮蔽物（Ｅｎｄｏｓｃｏｐｉｃ  Ｓｈｉｅｌｄ）を用いて内視鏡検査を施行する群。エアロゾルの評価に関しては（１）と同様に行う。遮蔽物を用いる場合は侵襲を伴わない軽度の介入となるが、念のため遮蔽物を用いることで内視鏡関連医療従事者の感染防御を行う旨の同意書を検査前に取得する。
※環境測定及び遮蔽物を置くことによる患者に対する侵襲はない。
【００９４】
(対象者に対する配慮）
遮蔽物を用いる場合は侵襲を伴わない軽度の介入研究であり、本来オプトアウトのみの実施となるが、事前に参加者へのインフォームド・コンセントを行い、説明用紙を用い遮蔽物使用の理由に加え、その妥当性有用性および危険性について充分に説明する
・施設のホームページまたは外来掲示板等で研究内容を告知し拒否の機会を提供する。
・患者データは、データベースを作成し匿名化を行い厳重に管理する。
・外部から切り離されたコンピュータのハードディスク内に保管情報漏洩・紛失に充分に配慮した取り扱いをおこなう。
【００９５】
（結果）
この遮蔽部材は、内視鏡専門医を含む医療従事者および周囲環境（例えば、床）をエアロゾルの拡散から保護することが可能である。それ故、この遮蔽部材は、内視鏡検査中のＣＯＶＩＤ−１９感染の拡散を低減することが可能であり得る。
【００９６】
以上に加え、内視鏡前後で患者の口からの同じ位置でエアロゾル量を測定し、量が増えていれば少なくとも内視鏡検査がエアロゾルを産生する手技であり、感染の可能性が高いことが証明することができる。そのうえで、同様の測定を本開示の内視鏡遮蔽部材の有無で比較し、遮蔽部材を用いた場合にエアロゾル量が少なければエアロゾル制御し得ることが示されることとなる。
【００９７】
（実施例３）
本実施例では、実施例２と同様に、ＣＯＶＩＤ−１９の感染状況を考慮し、本発明者は内視鏡手技におけるエアロゾル発生の可能性を検討し、内視鏡時におけるＣＯＶＩＤ−１９の患者側因子（嘔吐反射、咳嗽による飛沫）を最小限に抑えるための遮蔽物の効能に関しても同時に検討する。
【００９８】
(対象）
１８歳以上（ＰＳ４を除く）。大分三愛メディカルセンター消化器病内視鏡センターにおいて上部消化管関連の内視鏡検査、緊急内視鏡検査を受ける被験者。
【００９９】
(方法および材料）
図１０ａを参照して説明された、フレーム８３０とフィルム状部材９６０とを備える遮蔽部材を利用する。
【０１００】
使用される遮蔽部材のフレーム８３０は、４５ｃｍ四方のプラスチック製の立方体形状を有する。フレーム８３０全体を覆うようにフィルム状部材９６０が配置されている。患者の左側を下にしたときに、遮蔽部材の足側および左側は空いている（すなわち、フィルム状部材９６０が存在しない）。患者の顔面側のフィルム状部材９６０には２つの孔が存在し、各孔の直径は、２ｃｍである。
【０１０１】
内視鏡検査は嘔吐反射、咳嗽、曖気などを伴うためエアロゾル産生量が多く、コロナ感染高危険度の手技として位置づけられている。しかしながらそれを科学的に証明した例はない。エアロゾルの光学測定器であるハンドヘルドパーティクルカウンターＭＯＤＥＬ３８８９を用いて定量的にエアロゾルを評価することで、内視鏡がエアロゾル産生手技であることを証明することを目的とした。エアロゾルは周りの人間の動きや小さな気流により容易に測定数が変わってしまうため大きな部屋などでは正確な値が測定できない。遮蔽部材（Ｅｎｄｏｓｃｏｐｉｃ  Ｓｈｉｅｌｄ）を用いてエアロゾル測定を行うことで周囲の気流による影響を最小限にした上での評価が可能となった。
【０１０２】
（手順）
以下の２群を後方視的に検討する。
（１）患者の頭部を遮蔽部材内に位置させ、内視鏡を行った１０３症例に関して検討した。決められたタイムスケジュールで内視鏡前、中、後のエアロゾル定量を行う。
（２）コントロール群として健常な医療従事者のエアロゾル定量を行う。具体的には東部を（１）同様遮蔽部材内に位置させ、（１）と同様の時間管理でエアロゾル定量を行う。仮想的な内視鏡を行うものとする（実際には内視鏡検査は行わず、（１）での内視鏡検査の平均時間で内視鏡を行ったものと仮定する）。（１）同様のタイムスケジュールで仮想内視鏡前、中、後のエアロゾル定量を行う。
【０１０３】
(対象者に対する配慮）
遮蔽物はコロナ感染が確認され遮蔽部材が発明された後に、対象施設では内視鏡関連医療従事者の感染防御に資すると考え、定常的に用いられている。後方視的検討であり、本来オプトアウトのみの実施でもよいと考えられるが、試験参加者へは個別にインフォームド・コンセントを行い、説明用紙を用い遮蔽物使用の理由に加え、その妥当性有用性および危険性、環境測定の必要性について充分に説明する。
※環境測定及び遮蔽物を置くことによる患者に対する侵襲はないことが想定される。
・施設のホームページまたは外来掲示板等で研究内容を告知し拒否の機会を提供する。
・患者データは、データベースを作成し匿名化を行い厳重に管理する。
・外部から切り離されたコンピュータのハードディスク内に保管情報漏洩・紛失に充分に配慮した取り扱いをおこなう。
【０１０４】
（結果）
検査前と検査中・後のエアロゾル量は、内視鏡施行群ではコントロール群と比し、有意差をもって、増加していた。また検査中のエアロゾル増加量を比較した場合も内視鏡施行群で有意差をもって多い結果となった。内視鏡施行群をさらにエアロゾル量増加群と非増加群に分けて検討したところ、内視鏡関連因子としては曖気がエアロゾル産生因子として抽出された。
【０１０５】
内視鏡によりエアロゾルで汚染された空気は遮蔽部材内にある程度集積されていることが証明された。これにより内視鏡施行者及び補助者のエアロゾル感染リスクの低減が間接的に証明された。
【０１０６】
（注記）
以上のように、本開示の好ましい実施形態を用いて本開示を例示してきたが、本開示は、特許請求の範囲によってのみその範囲が解釈されるべきであることが理解される。本明細書において引用した特許、特許出願および他の文献は、その内容自体が具体的に本明細書に記載されているのと同様にその内容が本明細書に対する参考として援用されるべきであることが理解される。
【産業上の利用可能性】
【０１０７】
本開示は、飛沫および／またはエアロゾルを遮蔽するための遮蔽部材およびそれを用いる方法等を提供するものとして有用である。
【符号の説明】
【０１０８】
１００  遮蔽部材
１１０  平面プレート
１１１  開口部
１２０  平面プレート
１３０  平面プレート
【図１】
0006917654.tif 000002
【図２】
0006917654.tif 000003
【図３】
0006917654.tif 000004
【図４】
0006917654.tif 000005
【図５】
0006917654.tif 000006
【図６】
0006917654.tif 000007
【図７】
0006917654.tif 000008
【図８】
0006917654.tif 000009
【図９】
0006917654.tif 000010
【図１０】
0006917654.tif 000011